(57)【要約】      （修正有）【課題】本発明は、ＵＳＢインターフェイス規格で使用されるＵＳＢコネクタの嵌合力を強め、簡単な構造でプラグ抜け防止機構を実現する。【解決手段】ＵＳＢデバイス１等のプラグ側（オス部）の外形寸法と装置側レセプタクル２（メス部）の内径寸法の寸法差による、ピンコンタクト部分に存在する隙間を利用して、マイラーなどの物質で作られたシート状の「抜け防止機構」３を折り畳みつつ、その間にプラグ（ＵＳＢデバイス１）を挟み込んだ状態でレセプタクル２側に挿入することで、嵌合力の増強をするように構成する。【選択図】図１
2007234404.tif 000002
【特許請求の範囲】
【請求項１】
コネクタのメス部内径に挿入部のオス部の外形が接触されるピンコンタクト部分の間隙に、オス部コネクタピンと共に挟み込みパーツがコネクタのメス部に挿入されて、前記コネクタ同士が嵌合されることを特徴とするコネクタの抜け防止装置。
【請求項２】
コネクタのメス部内径に挿入部のオス部の外形が接触されるピンコンタクト部分の間隙に、オス部コネクタピンと共に挿入されることを特徴とするコネクタの抜け防止部品。
【請求項３】
平面状態での中央部にほぼ円形の空間を有し、折り畳むことにより、コネクタのプラグを中央に通しながら、前記プラグの両面と接触する構造であることを特徴とする請求項２に記載のコネクタの抜け防止部品。
【請求項４】
請求項１に記載のコネクタはＵＳＢコネクタであることを特徴とするＵＳＢコネクタの抜け防止装置。
【請求項５】
請求項２乃至３に記載のコネクタはＵＳＢコネクタであることを特徴とするＵＳＢコネクタの抜け防止部品。
【発明の詳細な説明】
【技術分野】
【０００１】
本発明は、コネクタの抜け防止取付け具に係わり、特にＵＳＢインターフェイスでのコネクタの抜け防止装置およびコネクタ抜け防止部品に関する。
【背景技術】
【０００２】
ホットプラグやモバイル性という使い勝手が良いという利便性からＵＳＢデバイスが広く使われるようになっており、また、装置でサポートされているＵＳＢコネクタの数も増加し、一度に複数のＵＳＢデバイスを接続してパーソナルコンピュータ（以下、ＰＣと称す）を利用するケースも増えている。しかしながら、ＵＳＢコネクタの規格にはコネクタをロックする機構がないため、設置型のＰＣにおいて背面にＵＳＢを使っている場合には、ＵＳＢデバイス等の半抜けによる動作不良が発生すると、原因確認が困難というケースや、モバイル型ＰＣの場合には使用中に動かす事によって誤って抜けてしまうケースなどが発生する。また、予期せぬ多種多様なデバイス利用や複数回の抜き差しによって、勘合力／接触力が弱まり、半抜け等による接続不良となる問題も発生している。
【０００３】
このため、従来、ＵＳＢコネクタの接続不良、動作不良等を未然に防止する構造を装置側やデバイス／ケーブル側に付加する提案がなされている。例えば、特許文献１には、ＵＳＢコネクタの近傍のＵＳＢケーブルをクランク状とし、ＵＳＢケーブル固定ガイドと脱落防止機構を増設することにより固定することが記載されているが、これら従来用いられている構造は、装置側やケーブル側に何らかの構造の変更を必要とする等、大掛かりなものであり、簡単な抜け防止治具等で対応するものはなかった。
【特許文献１】特開平２００４−２２４６９号公報
【発明の開示】
【発明が解決しようとする課題】
【０００４】
使用当初は勘合力が維持できていても、使用過多などによって抜け易くなってしまうＵＳＢ等のコネクタ、もしくは一度接続したらほとんど抜く事が無く抜けては困るＵＳＢデバイス等に、簡単な構造の抜け防止機構によりコネクタ抜け防止や半抜けなどによる動作不良を防ぐことを目的とする。
【課題を解決するための手段】
【０００５】
本発明によるコネクタ抜け防止機構は、ＵＳＢデバイス等のプラグ（オス部）の外形寸法と装置側レセプタクル（メス部）の内径寸法の寸法差による、ピンコンタクト部分に存在する間隙を利用して、マイラーなどの物質で作られたシート状の「抜け防止機構」を折り畳みつつ、その間にプラグ（ＵＳＢデバイス等）を挟み込んだ状態でレセプタクル側に挿入するように構成する。
【発明の効果】
【０００６】
設置型のＰＣの場合、背面のＵＳＢコネクタが気づかぬうちに半抜けになったり、モバイル型ＰＣの場合、使用中に動かす事によって誤って抜けてしまうケースなどによる動作不良の発生を防止できる。また、予期せぬ多種多様なデバイス利用や複数回の抜き差しによって、嵌合力が弱まる場合でも抜け防止効果を期待できる。
【０００７】
更には、抜け防止バンドや抜け防止部品などを使用した大掛かりな抜け防止機構を装置側に設ける方法ではないので、製造ベンダーにも開発費・部品費が僅少で済むと共に、ユーザサイドで簡単に対応でき、外付部品として広く活用ができるので、制限・制約が無く有効活用出来るメリットを有する。
【発明を実施するための最良の形態】
【０００８】
ＵＳＢデバイス等のプラグ側（オス部）の外形寸法と装置側レセプタクル（メス部）の内径寸法の寸法差による、ピンコンタクト部分に存在する間隙を利用して、マイラーなどの物質で作られたシート状の「抜け防止機構」を折り畳みつつ、その間にプラグ（ＵＳＢデバイス等）を挟み込んだ状態でレセプタクル側に挿入することで、嵌合力の増強を実現した。
【０００９】
(実施例)
図１に本発明の１実施例の外観図、図２に図１に対応する本発明の１実施例の側面図を示す。同図において、１はＵＳＢデバイス、２はＵＳＢコネクタ（装置側レセプタクル）、３は抜け防止パーツであり、以下の図面において、同一構成部分には同一符号を付し説明は省略する。また、図２において４はレセプタクル側の押し付けピンである。従来の使用では、抜け防止パーツ３なしに、装置側レセプタクルのＵＳＢコネクタ２に、ＵＳＢデバイス１またはＵＳＢケーブルのプラグを挿入して接続する。しかし、ＵＳＢコネクタのプラグとレセプタクルの両者共にロック機構がないため、このままではレセプタクル側の押し付けピン４のバネの弾力性が弱くなると、接触不良を発生する可能性がある。
【００１０】
ところで、図３にＵＳＢシリーズ「Ａ」レセプタクルインターフェイス（Ｕｎｉｖｅｒｓａｌ  Ｓｅｒｉａｌ  Ｂｕｓ  Ｓｐｅｃｉｆｉｃａｔｉｏｎ  Ｒｅｖｉｓｉｏｎ２．０）の構造面の規格の一部を示す。図３によれば押し付けピン４のバネの部分を除いた場合、物理的に上部及び下部のピン幅だけでも０．６４ｍｍの隙間が存在する。従って、マイラーなどの物質で作られる「抜け防止パーツ」をプラグと共に挟み込む形で、上部の外枠の内壁と上部端子（ＦＧピン）との間に、また、下部の外枠の内壁と下部端子（信号ピン）との間に挿入することが可能であり、これによりオス／メス間の隙間が小さくなることにより、勘合力を増大させることができる。
【００１１】
図４はＵＳＢコネクタ（レセプタクル側）２の押し付けピン４の上面図を示し、図５はＵＳＢコネクタ（レセプタクル側）２に抜け防止パーツ３を挿入した場合の上面図を示す。同図において、４は先に図２の側面図で示した押し付けピンであり、上面図における左右２個の押し付けピン４の中間に抜け防止パーツ３の先端部分を挿入する。但し、抜け防止パーツ３の挿入により益々ゆるみを増徴させる可能性があるため、左右２個の押し付けピン４部に接触して更に押し上げることのないように、２個のバネの中央部分にのみ抜け防止パーツ３が差し込まれ、それ以上には押し込まれないような形状にしている。
【００１２】
図６は本発明の抜け防止パーツの１実施例を示す展開図と上面図である。図６（ｂ）は抜け防止パーツ３を平面的に示す展開図であり、（ａ）はＵＳＢデバイスと共に組み立てられた上面図を示す。同図（ｂ）において、中央部の破線で示す折り返し位置５は、この線に沿って折り返して使用することを示し、折り返されたことによる中央部の空間であるＵＳＢデバイス挿入口６にＵＳＢデバイス１を通しながら、抜け防止パーツ３の挿入先端部７の左右の長方形を先端として、ＵＳＢデバイス１を挟み込む形で、上述した装置側のＵＳＢコネクタ（レセプタクル側）２のコンタクトピン部の０．６４ｍｍの隙間に挿入する。先の図５では、この抜け防止パーツ３が２つの押し付けピン４の間に挿入された状態の上面図を示し、また、図６（ａ）では抜け防止パーツ３が挿入されるＵＳＢデバイス１とセットで使用される状態での上面図を示したものである。
【００１３】
抜け防止パーツ３の材料としては、マイラー等のある程度の硬さと加工のし易さを有すれば特に材質は問わないが、絶縁性を有するほうが望ましい。図８は本発明の厚みに傾斜があるラバータイプの抜け防止パーツの実施例を示し、挿入する先端側に傾斜があり、また後方程厚くなっており、嵌合力が強くなるようになっている。また、別の実施例として図８に示す形状の挿入部品を２個、上下の間隙に挿入しても良い。図８（ａ）は上面図、（ｂ）は側面図である。尚、本コネクタ抜け防止機構や抜け防止パーツは、ＵＳＢコネクタ以外でも、接触力のみで嵌合しているコネクタへも適用も可能であることは云うまでもない。
【図面の簡単な説明】
【００１４】
【図１】本発明の１実施例を示す外観図
【図２】本発明の１実施例を示す側面図
【図３】本発明に関連するＵＳＢコネクタの一部規格を示す図
【図４】ＵＳＢのレセプタクル側押し付けピンの上面図
【図５】両押し付けピンの中央部に抜け防止パーツを挿入した上面図
【図６】本発明の抜け防止パーツの１実施例を示す展開図と上面図
【図７】本発明の厚みに傾斜があるラバータイプの抜け防止パーツの実施例
【図８】本発明の抜け防止パーツの別の実施例
【符号の説明】
【００１５】
１    ＵＳＢデバイス
２    ＵＳＢコネクタ（レセプタクル側）
３    抜け防止パーツ
４    押し付けピン
５    折り返し位置
６    ＵＳＢデバイス挿入口
７    抜け防止パーツの挿入先端部
【図１】
2007234404.tif 000003
【図２】
2007234404.tif 000004
【図３】
2007234404.tif 000005
【図４】
2007234404.tif 000006
【図５】
2007234404.tif 000007
【図６】
2007234404.tif 000008
【図７】
2007234404.tif 000009
【図８】
2007234404.tif 000010